(57)【特許請求の範囲】
【請求項１】
ホログラムから再生された像である再生像を示す画像データが再生像データであり、前記再生像データを取得する再生像取得部と、
前記ホログラム以外の表示体が表示する画像である表示画像を示す画像データが表示画像データであり、前記表示画像データを取得する表示画像取得部と、
前記再生像取得部が取得した前記再生像データと、前記表示画像取得部が取得した前記表示画像データとを用いて、前記再生像と前記表示画像とが一致するか否かを判定する判定部と、を備え、
前記表示画像データは、前記表示画像の撮影によって生成されたデータである
像検査装置。
【請求項２】
前記再生像を再生させるための前記ホログラムに対する光の照射と、前記再生像の撮影による前記再生像データの生成とを行う再生像撮影部をさらに備え、
前記再生像取得部は、前記再生像撮影部から前記再生像データを取得する
請求項１に記載の像検査装置。
【請求項３】
前記表示画像を撮影して前記表示画像データを生成する表示画像撮影部と、
前記表示画像データを、前記ホログラムを形成するためのデータに変換し、前記ホログラムを形成するためのデータに基づいて、前記ホログラムを形成するホログラム形成部と、をさらに備える
請求項１または２に記載の像検査装置。
【請求項４】
前記ホログラム、および、前記表示体を備える対象物を搬送する搬送部と、
前記対象物を収容する収容部であって、前記対象物の取出しが制限された前記収容部と、をさらに備え、
前記搬送部は、
前記再生像と前記表示画像とが一致しないと前記判定部が判定したとき、前記対象物を前記収容部に搬送し、かつ、前記再生像と前記表示画像とが一致すると前記判定部が判定したとき、前記対象物を前記収容部とは異なる場所に搬送する
請求項１〜３のいずれか一項に記載の像検査装置。
【請求項５】
像検査装置が像を検査する方法であって、
ホログラムから再生された像である再生像を示す画像データが再生像データであり、前記ホログラム以外の表示体が表示する画像である表示画像を示す画像データであって、前記表示画像の撮影によって生成されたデータが表示画像データであり、
前記像検査装置が、
前記再生像データを取得するステップと、
前記表示画像データを取得するステップと、
前記再生像データと前記表示画像データとを用いて、前記再生像と前記表示画像とが一致するか否かを判定するステップと、
を含む像検査方法。
【発明の詳細な説明】
【技術分野】
【０００１】
本発明は、ホログラムから再生される像を用いて検査を行う像検査装置、および、像検査方法に関する。
【背景技術】
【０００２】
ホログラムは、例えば、パスポートや紙幣等の対象物が有する支持体上に形成される。形成されたホログラムに所定の方向から所定の波長の光が照射されると、ホログラムが有する回折格子によって回折が生じることに基づいて、所定の像である再生像が再生される。
【０００３】
従来、複数の対象物に対するホログラムの形成には同一の版が用いられ、対象物間において同一の像を再生するホログラムが対象物ごとに形成されることが一般的であった。これに対して、偽造の防止効果を高めることが望まれる近年では、複数の対象物に対して、対象物ごとに異なる像を再生するホログラムを形成する技術が開発されている。こうした技術は、例えば、インクによって描かれている顔画像と、その顔画像を再生するホログラムとを備えるパスポートに利用されている（例えば、特許文献１，２参照）。
【先行技術文献】
【特許文献】
【０００４】
【特許文献１】特開２０１３−６４９２８号公報
【特許文献２】特開２０１３−１６４４９１号公報
【発明の概要】
【発明が解決しようとする課題】
【０００５】
複数の対象物の各々にホログラムが形成され、複数のホログラムの各々が互いに異なる像を再生する場合、各対象物に正常にホログラムが形成されているか否か、すなわち、各対象物に形成されたホログラムから、対象物ごとに予め設定されている像が再生されるか否かを検査する必要がある。しかしながら、現在まで、こうした検査は対象物の製造担当者の目視による確認に委ねられているため、検査に多大な労力がかかるとともに、こうした検査工程が対象物の生産効率の低下を招く要因にもなっている。
【０００６】
なお、再生像を用いた像の検査に多大な負荷を要することは、ホログラムの形成の良否を検査することに限らず、再生像と、この再生像を再生するホログラムとは別の対象が提示する像とが一致するか否かを検査する場合において共通する。
本発明は、ホログラムから再生される像を用いた検査に要する負担を軽減することのできる像検査装置、および、像検査方法を提供することを目的とする。
【課題を解決するための手段】
【０００７】
上記課題を解決する像検査装置は、ホログラムから再生された像である再生像を示す画像データが再生像データであり、前記再生像データを取得する再生像取得部と、前記ホログラム以外の表示体が表示する画像である表示画像を示す画像データが表示画像データであり、前記表示画像データを取得する表示画像取得部と、前記再生像取得部が取得した前記再生像データと、前記表示画像取得部が取得した前記表示画像データとを用いて、前記再生像と前記表示画像とが一致するか否かを判定する判定部と、を備える。
【０００８】
上記課題を解決する像検査方法は、像検査装置が像を検査する方法であって、ホログラムから再生された像である再生像を示す画像データが再生像データであり、前記ホログラム以外の表示体が表示する画像である表示画像を示す画像データが表示画像データであり、前記像検査装置が、前記再生像データを取得するステップと、前記表示画像データを取得するステップと、前記再生像データと前記表示画像データとを用いて、前記再生像と前記表示画像とが一致するか否かを判定するステップと、を含む。
【０００９】
上記構成および方法によれば、再生像データと表示画像データとを用いた判定部の判定によって、表示画像と再生像とが一致するか否かが判定される。したがって、製造担当者の目視に拠らずに、再生像や表示画像という像の検査を行うことができるため、こうした検査に要する負担を軽減することができる。
【００１０】
上記構成において、前記再生像を再生させるための前記ホログラムに対する光の照射と、前記再生像の撮影による前記再生像データの生成とを行う再生像撮影部をさらに備え、
前記再生像取得部は、前記再生像撮影部から前記再生像データを取得することが好ましい。
【００１１】
上記構成によれば、再生像データを用いる像検査装置によって再生像データが生成されるため、像検査装置以外の装置によって再生像データが生成される構成と比べて、再生像データの取扱いが容易である。
上記構成において、前記表示画像データは、前記表示体を形成するためのデータであってもよい。
【００１２】
上記構成によれば、再生像と表示画像とが一致するか否かの検査に用いられる表示画像データは、表示体を形成するためのデータである。そのため、例えば、表示体の表示する画像から表示画像データが別途生成される構成と比べて、再生像と表示画像とが一致するか否かの検査に要するデータの準備についての負荷が軽減される。
【００１３】
上記構成において、前記表示画像データに基づいて前記表示体を形成する表示体形成部と、前記表示画像データを、前記ホログラムを形成するためのデータに変換し、前記ホログラムを形成するためのデータに基づいて、前記ホログラムを形成するホログラム形成部と、をさらに備えることが好ましい。
【００１４】
上記構成によれば、像検査装置において、検査の対象である表示体やホログラムが形成される。そのため、ホログラムが再生する像を用いた検査において、検査の対象と検査の結果との整合が容易である。さらに、像検査装置にて表示体やホログラムの形成に用いられたデータが、像の検査に用いられるため、表示体やホログラムの形成と、像の検査に別々のデータが用いられる構成と比較して、像検査装置の構成が簡易になり、効率のよいデータの利用が可能となる。
上記構成において、前記表示画像データは、前記表示画像の撮影によって生成されたデータであってもよい。
【００１５】
上記構成によれば、再生像と表示画像とが一致するか否かの検査に用いられる表示画像データは、表示画像の撮影によって生成されたデータである。そのため、表示体の表示する実際の画像が検査の結果に的確に反映される。
【００１６】
上記構成において、前記表示画像を撮影して前記表示画像データを生成する表示画像撮影部と、前記表示画像データを、前記ホログラムを形成するためのデータに変換し、前記ホログラムを形成するためのデータに基づいて、前記ホログラムを形成するホログラム形成部と、をさらに備えることが好ましい。
【００１７】
上記構成によれば、像検査装置によって表示画像データが生成されるため、像検査装置以外の装置によって表示画像データが生成される構成と比べて、表示画像データの取扱いが容易である。また、像検査装置にてホログラムの形成に用いられるデータが、像の検査に用いられるため、ホログラムの形成と像の検査とに別々のデータが用いられる構成と比較して、像検査装置の構成が簡易になり、効率のよいデータの利用が可能となる。
【００１８】
上記構成において、前記ホログラム、および、前記表示体を備える対象物を搬送する搬送部と、前記対象物を収容する収容部であって、前記対象物の取出しが制限された前記収容部と、をさらに備え、前記搬送部は、前記再生像と前記表示画像とが一致しないと前記判定部が判定したとき、前記対象物を前記収容部に搬送し、かつ、前記再生像と前記表示画像とが一致すると前記判定部が判定したとき、前記対象物を前記収容部とは異なる場所に搬送することが好ましい。
【００１９】
表示画像と再生像とが一致しないと判定された対象物は、通常、表示体やホログラムが正常に形成されていない不良品であると判断され、表示画像と再生像とが一致すると判定された対象物は、通常、表示体やホログラムが正常に形成された良品であると判断される。上記構成によれば、良品に該当する対象物と不良品に該当する対象物とが互いに異なる搬送先に搬送されるため、検査後の良品と不良品との分別の正確性が高められる。そして、不良品に該当する対象物が収容部に収容され、収容部に収容された対象物の取出しが制限されている。したがって、不良品に該当する対象物の管理に対するセキュリティが高められる。
【発明の効果】
【００２０】
本発明によれば、ホログラムから再生される像を用いた検査に要する負担を軽減することができる。
【図面の簡単な説明】
【００２１】
【図１】第１および第２の実施形態において検査対象となる対象物の全体構造を示す斜視図である。
【図２】第１の実施形態における像検査装置の全体構成を示す図である。
【図３】第１の実施形態における像検査装置の電気的構成を示す図である。
【図４】第１の実施形態における像検査装置の動作を示す図であって、インク画像部の形成工程を示す図である。
【図５】第１の実施形態における像検査装置の動作を示す図であって、ホログラム部の形成工程を示す図である。
【図６】第１の実施形態における像検査装置の動作を示す図であって、再生像の撮影工程を示す図である。
【図７】第１の実施形態における像検査装置の動作を示す図であって、良品の搬出工程を示す図である。
【図８】第１の実施形態における像検査装置の動作を示す図であって、不良品の収容工程を示す図である。
【図９】第２の実施形態における像検査装置の全体構成を示す図である。
【図１０】第２の実施形態における像検査装置の電気的構成を示す図である。
【図１１】第２の実施形態における像検査装置の動作を示す図であって、インク画像部の撮影工程を示す図である。
【図１２】第２の実施形態における像検査装置の動作を示す図であって、ホログラム部の形成工程を示す図である。
【図１３】第２の実施形態における像検査装置の動作を示す図であって、再生像の撮影工程を示す図である。
【図１４】第２の実施形態における像検査装置の動作を示す図であって、良品の搬出工程を示す図である。
【図１５】第２の実施形態における像検査装置の動作を示す図であって、不良品の収容工程を示す図である。
【発明を実施するための形態】
【００２２】
（第１の実施形態）
図１〜図８を参照して、像検査装置および像検査方法の第１の実施形態について説明する。なお、第１の実施形態の像検査装置および像検査方法では、ホログラムから再生される像を用いてこの像を検査することにより、ホログラムの形成の良否が検査される。
【００２３】
［検査対象物の構成］
像検査装置、および、像検査装置が行う像検査方法の説明に先立ち、検査の対象である対象物について説明する。
【００２４】
図１に示されるように、対象物１０は、支持体１１を備え、支持体１１上に、表示体の一例であるインク画像部１２と、ホログラム部１３とを有している。対象物１０は、例えば、パスポートや種々の会員証等に具体化されるが、対象物１０の用途はこれらに限定されない。支持体１１は、例えば、冊子状に綴じられた紙であってもよいし、カード状に成形された樹脂であってもよく、インク画像部１２およびホログラム部１３を形成可能な材料および形状から構成されればよい。
【００２５】
インク画像部１２は、インクによって描かれた画像であるインク画像が形成された部分である。インク画像は、表示体の表示する表示画像の一例であって、複数の色によって表現されていてもよいし、単色によって表現されていてもよい。
【００２６】
ホログラム部１３は、所定の方向から所定の波長の光が照射されたときに、特定の方向に向けて像が再生されるホログラムが形成された部分である。像の再生に要する光の照射方向および波長は特に限定されないが、例えば、ホログラム部１３は、ホログラムに対して垂直に白色光が照射されたとき、白色光の入射方向に対して４５度の角度を有する位置にて、ホログラムから再生される像の観察が可能なように構成される。ホログラムから再生される像である再生像は、複数の色によって表現されていてもよいし、単色によって表現されていてもよい。
【００２７】
第１の実施形態の像検査装置では、インク画像部１２が有するインク画像とホログラム部１３が有するホログラムの再生像とが一致するか否かが検査される。インク画像と再生像が一致すると判定される場合、ホログラム部１３が正常に形成されていると判断され、対象物１０は良品であると判定される。一方、インク画像と再生像が一致しないと判定される場合、ホログラム部１３が正常に形成されていないと判断され、対象物１０は不良品であると判定される。
【００２８】
インク画像と再生像とは、例えば、同一人物の同一の顔の像に具体化されるが、インク画像と再生像とは、顔の像に限らず、文字や記号、図形、模様、もしくは、これらの組み合わせ等、公知のパターン認識技術を用いて一致する像であるか否かの判定が可能な像であればよい。
【００２９】
また、良品と判定される対象物１０において、インク画像と再生像とは、公知のパターン認識技術を用いて一致すると判定可能な範囲であれば、完全に同一の像である必要はなく、例えば、互いに異なる大きさを有していてもよいし、一方の像には他方の像に含まれない文字等が含まれていてもよい。インク画像と再生像とが、どの程度の一致度を有しているときに一致すると判定されるかは、対象物１０の用途等に応じて、再生像に求められる精度を考慮して設定されればよい。
【００３０】
なお、インク画像部１２が有するインク画像とホログラム部１３が有するホログラムとは、同一の層に形成されている必要はなく、例えば、支持体１１上にて、インク画像を含む層の上にホログラムを含む層が積層されていてもよいし、これらの層の間にさらに別の層が挿入されていてもよい。
【００３１】
また、像検査装置によって検査される段階にて、対象物１０には、インク画像部１２とホログラム部１３とが形成されていればよく、対象物１０は、検査工程の前に製品として完成していてもよいし、検査工程の後に、更なる加工が施されることにより対象物１０が製品として完成されてもよい。
【００３２】
［像検査装置の全体構成］
図２を参照して、像検査装置の全体構成について説明する。
図２に示されるように、像検査装置２０は、インク画像形成部２１と、ホログラム形成部２２と、再生像撮影部２３と、収容部２４と、搬送部２５とを備えている。なお、図２では、各部が有する機構を簡略化して示している。
【００３３】
インク画像形成部２１は、支持体１１にインク画像部１２を形成するための機構を備えている。インク画像部１２の形成方法は特に限定されず、公知の印刷方法が用いられればよい。例えば、インク画像部１２は、中間媒体上に印刷されたインク画像が支持体１１に転写される中間転写方式を用いて形成される。通常、インク画像は、ＣＭＹＫカラーモデルによる色の表現法を用いて形成される。
【００３４】
なお、インク画像形成部２１は、インク画像を形成するための機構に加えて、インク画像の下地となる層や、インク画像を保護する層等を形成するための機構を備えていてもよい。
【００３５】
ホログラム形成部２２は、支持体１１にホログラム部１３を形成するための機構を備えている。ホログラム部１３の形成方法は特に限定されず、公知のホログラムの形成方法のうち、複数の支持体１１ごとに、異なる像が再生されるホログラムを形成可能な方法が用いられればよい。例えば、ホログラム部１３は、中間媒体上に形成されたホログラムが支持体１１に転写される中間転写方式を用いて形成される。こうしたホログラムは、例えば、入射光に対して所定の方向に所定の波長の回折光を出す複数種類の回折格子が画素状に配置されることによって形成されている。
【００３６】
なお、ホログラム形成部２２は、ホログラムを形成するための機構に加えて、ホログラムの下地となる層や、ホログラムを保護する層等を形成するための機構を備えていてもよい。
【００３７】
再生像撮影部２３は、ホログラム部１３の有するホログラムから再生される像を撮影する機構を備えており、具体的には、照射部２３ａと受光部２３ｂと調整部２３ｃとを備えている。以下では、ホログラム部１３が、ホログラムに対して垂直に白色光が照射されたとき、白色光の入射方向に対して４５度の角度を有する位置にて、再生像の観察が可能に構成されている場合の再生像撮影部２３の構成について説明する。
【００３８】
照射部２３ａは、ホログラム部１３の有するホログラムに対して、垂直に、白色光を照射する。照射部２３ａが照射する照射光の照射範囲には、ホログラム部１３の有するホログラムの全体が含まれる。照射光は、３５０ｎｍ〜６５０ｎｍ程度の波長の光を含む可視光であって、指向性が高いことが好ましい。例えば、照射部２３ａは、レーザーであってもよいし、ＬＥＤであってもよいし、キセノンランプであってもよい。レーザーは、指向性の高い単一波長の光を照射することが可能であるため、照射部２３ａとして用いることに適している。また、ＬＥＤは安価で入手が容易であり、キセノンランプは平滑な波長の光の照射に適している。
【００３９】
受光部２３ｂは、照射光に含まれる波長の光を撮影可能な撮影装置であって、ホログラム部１３への照射光の入射方向に対して４５度の角度を有する位置に設置される。そして、受光部２３ｂは、ホログラム部１３の有するホログラムから、照射光の入射方向に対して４５度の角度に反射される回折光を受光して、この回折光によって形成される像を撮影する。
【００４０】
調整部２３ｃは、例えばレンズやしぼりから構成され、調整部２３ｃの角度や位置や開度が調整されることによって、照射光の指向性が調整される。調整部２３ｃが設けられていることによって、照射光の指向性の微調整が可能である。
【００４１】
再生像撮影部２３において、照射部２３ａと受光部２３ｂと調整部２３ｃとが配置される空間を区画する内壁は、植毛紙で覆われていることが好ましい。こうした構成によれば、再生像の撮影される区域が暗室とされて、余計な光の反射が抑えられるため、より鮮明な再生像の撮影が可能となる。
【００４２】
なお、照射部２３ａが照射する照射光の照射角度や波長、および、受光部２３ｂの位置や受光部２３ｂの撮影可能な光の波長は、ホログラム部１３における再生像の形成条件、すなわち、ホログラム部１３の有するホログラムから像が再生される際の照射光の照射角度や波長、および、回折光の出射角度や波長等に応じて設定されればよい。例えば、ホログラム部１３の有するホログラムが紫外線の照射を受けて像を再生する構成を有する場合には、照射部２３ａは照射光として紫外領域の光を照射し、受光部２３ｂは紫外領域の光を撮影可能に構成されればよい。
【００４３】
収容部２４は、不良品であると判定された対象物１０を収容部２４の内部に収容する。収容部２４は、収容部２４の内部と外部とを繋ぐ開閉可能な収容口２４ａを有し、対象物１０は、開かれた収容口２４ａから収容部２４に入れられる。収容口２４ａは、対象物１０が搬送される経路上において、再生像撮影部２３における再生像の撮影位置よりも後段に設けられている。例えば、第１の実施形態では、撮影位置にて対象物１０を支持している支持台が傾くことによって、収容口２４ａが開き、支持台上の対象物１０が収容部２４の内部に落ちるように構成されている。
【００４４】
一方、収容部２４においては、収容部２４に収容されている対象物１０の取出しが制限されている。例えば、第１の実施形態では、収容部２４における対象物１０の取出し口が施錠され、権限を有する特定の人物のみが、収容されている対象物１０を取り出すことができる。
搬送部２５は、支持体１１が搬送される搬送路や、支持体１１を搬送する機構、および、収容部２４の収容口２４ａを開閉する機構を備えている。
【００４５】
搬送部２５は、インク画像部１２およびホログラム部１３の双方が形成されていない支持体１１を、像検査装置２０における外部からの支持体１１の搬入口等から、インク画像形成部２１に搬送する。さらに、搬送部２５は、インク画像部１２が形成され、ホログラム部１３が形成されていない支持体１１を、インク画像形成部２１からホログラム形成部２２に搬送する。さらに、搬送部２５は、インク画像部１２およびホログラム部１３の双方が形成された支持体１１である対象物１０を、ホログラム形成部２２から再生像撮影部２３に搬送する。
【００４６】
そして、インク画像と再生像との比較に基づいて行われる良否判定の結果、対象物１０が良品であると判定されたとき、搬送部２５は、対象物１０を、再生像撮影部２３から、像検査装置２０における外部への対象物１０の搬出口等へ搬送する。一方、良否判定の結果、対象物１０が不良品であると判定されたとき、搬送部２５は、収容口２４ａを開いて、対象物１０を収容部２４へ搬送する。
【００４７】
また、インク画像形成部２１において、インク画像部１２の形成の過程で支持体１１の移動が必要である場合や、ホログラム形成部２２において、ホログラム部１３の形成の過程で支持体１１の移動が必要である場合にも、搬送部２５は、支持体１１を搬送する。
【００４８】
なお、インク画像形成部２１への支持体１１の搬送元は、像検査装置２０の内部であってもよいし、再生像撮影部２３からの良品の対象物１０の搬送先も、像検査装置２０の内部であってもよい。
【００４９】
［像検査装置の電気的構成］
図３を参照して、像検査装置の電気的な構成について説明する。
図３に示されるように、像検査装置２０は、上述の各部に加えて、これら各部の動作を制御する制御部３０を備えている。制御部３０は、ＣＰＵや、ＲＯＭ、ＲＡＭ等から構成され、機能的な構成として、インク画像形成制御部３１と、ホログラム形成制御部３２と、再生像撮影制御部３３と、良否判定部３４と、搬送制御部３５と、記憶部３６とを備えている。
【００５０】
記憶部３６は、各種の制御プログラムやデータを永続的もしくは一時的に記憶する。制御部３０は、記憶部３６に記憶されている各種の制御プログラムに基づいて各種処理を実行する。
【００５１】
ここで、記憶部３６は、上記データの一例として、インク画像を形成するための画像データであるインク画像データを記憶している。インク画像データは、例えば、インク画像として顔画像が形成される場合には、顔写真のデータに具体化される。インク画像データは、ＲＧＢカラーモデルに基づいて表現されたビットマップデータであってもよいし、このビットマップデータから変換されたデータであって、ＣＭＹＫカラーモデルに基づいて表現されたデータであってもよい。
【００５２】
インク画像形成制御部３１は、各種のドライバを介して、インク画像形成部２１に対し、インク画像形成部２１が有する各種の機構の動作を指示する。そして、インク画像形成制御部３１は、インク画像形成部２１にインク画像部１２を形成させる。詳細には、インク画像部１２の形成に際して、インク画像形成制御部３１は、記憶部３６に記憶されているインク画像データに基づいて、インク画像形成部２１に、インク画像データに従った画像を形成させる。なお、インク画像データがＲＧＢカラーモデルを用いたデータである場合には、インク画像データはＣＭＹＫカラーモデルを用いたデータに変換され、この変換されたデータに基づいてインク画像部１２が形成される。
【００５３】
ホログラム形成制御部３２は、各種のドライバを介して、ホログラム形成部２２に対し、ホログラム形成部２２が有する各種の機構の動作を指示する。そして、ホログラム形成制御部３２は、ホログラム形成部２２にホログラム部１３を形成させる。詳細には、ホログラム部１３の形成に際して、ホログラム形成制御部３２は、記憶部３６に記憶されているインク画像データを、ホログラムを形成するためのデータであるホログラムデータに変換し、ホログラムデータに基づいて、ホログラム形成部２２にホログラムを形成させる。ホログラムデータは、例えば、回折格子の配置を示すデータであって、インク画像データの示す色の配置が、これらの色に対応する波長の回折光を所定の方向に出す回折格子の配置に、所定のアルゴリズムを用いて変換されることによって生成される。
【００５４】
再生像撮影制御部３３は、各種のドライバを介して、再生像撮影部２３が備える照射部２３ａ，受光部２３ｂ，調整部２３ｃの動作を指示する。そして、再生像撮影制御部３３は、再生像撮影部２３に、ホログラム部１３の有するホログラムの再生像を撮影させる。詳細には、再生像の撮影に際して、再生像撮影制御部３３は、まず、受光部２３ｂのシャッターを開かせて、受光部２３ｂによる撮影を開始させる。次いで、再生像撮影制御部３３は、照射部２３ａに照射光を照射させ、受光部２３ｂに再生像を撮影させる。次いで、再生像撮影制御部３３は、照射部２３ａに照射光の照射を停止させた後、受光部２３ｂのシャッターを閉じさせて、受光部２３ｂによる撮影を終了させる。また、再生像撮影制御部３３は、撮影に際し、必要に応じて、調整部２３ｃの角度や位置や開度を変更させて、照射光の指向性を調整する。撮影された再生像の画像データである再生像データは、再生像撮影制御部３３に取り込まれる。
【００５５】
良否判定部３４は、記憶部３６に記憶されているインク画像データと、再生像撮影部２３の撮影によって生成された再生像データとを用いて、インク画像と再生像とが一致するか否かを判定する。この判定には、公知のパターン認識技術が用いられればよい。例えば、インク画像データと再生像データとに基づき、インク画像と再生像との各々について、外形等の外観から特徴点が抽出され、その一致度が所定の閾値以上である場合に、インク画像と再生像とが一致すると判定される。閾値は、対象物１０の用途等に応じて、再生像に求められる精度を考慮して設定されればよいが、例えば、８５％以上とされる。
【００５６】
搬送制御部３５は、各種のドライバを介して、搬送部２５に対し、搬送部２５が有する各種の機構の動作を指示する。具体的には、搬送制御部３５は、インク画像形成制御部３１、ホログラム形成制御部３２、再生像撮影制御部３３の各々と連携し、インク画像部１２の形成状況やホログラム部１３の形成状況や再生像の撮影状況に応じて、像検査装置２０内での各部への支持体１１の搬送のタイミングを決定する。そして、搬送制御部３５は、決定したタイミングに従って、搬送部２５に支持体１１を搬送させる。
【００５７】
また、搬送制御部３５は、良否判定部３４が、インク画像と再生像とが一致する、すなわち、対象物１０が良品であると判定したとき、判定結果を受けて、再生像撮影部２３から所定の場所へ、搬送部２５に対象物１０を搬送させる。一方、良否判定部３４が、インク画像と再生像とが一致しない、すなわち、対象物１０が不良品であると判定したとき、判定結果を受けて、搬送制御部３５は、搬送部２５に、収容口２４ａを開かせ、再生像撮影部２３から収容部２４へ対象物１０を搬送させる。収容部２４への対象物１０の収容後、搬送制御部３５は、搬送部２５に収容口２４ａを閉じさせる。
【００５８】
［像検査装置の動作］
図４〜図８を参照して、上述した構成を有する像検査装置２０の動作について説明する。なお、図４〜図８においては、対象物１０の形成と検査との手順を理解しやすくするため、支持体１１上におけるインク画像部１２とホログラム部１３とを強調して示している。
【００５９】
図４に示されるように、まず、搬送制御部３５の指示を受けて、搬送部２５が、インク画像部１２およびホログラム部１３の双方が形成されていない支持体１１を、インク画像形成部２１に搬送する。そして、インク画像形成制御部３１の指示を受けて、インク画像データに基づき、インク画像形成部２１は、支持体１１にインク画像部１２を形成する。
【００６０】
図５に示されるように、インク画像部１２の形成が完了すると、搬送制御部３５の指示を受けて、搬送部２５は、インク画像部１２が形成された支持体１１を、ホログラム形成部２２に搬送する。そして、ホログラム形成制御部３２の指示を受けて、インク画像データから変換されたホログラムデータに基づき、ホログラム形成部２２は、支持体１１にホログラム部１３を形成する。ホログラム部１３の形成が完了すると、搬送制御部３５の指示を受けて、搬送部２５は、インク画像部１２およびホログラム部１３が形成された支持体１１である対象物１０を、再生像撮影部２３に搬送する。
図６に示されるように、再生像撮影部２３は、再生像撮影制御部３３の指示に基づき、ホログラム部１３が有するホログラムの再生像を撮影する。
【００６１】
詳細には、まず、受光部２３ｂがシャッターを開いて撮影を開始し、次いで、照射部２３ａが照射光をホログラム部１３に対して垂直に照射する。これにより、照射光の入射方向に対して４５度の位置に形成される再生像が、受光部２３ｂによって撮影される。その後、照射部２３ａが照射光の照射を停止した後、受光部２３ｂはシャッターを閉じて撮影を終了する。
【００６２】
再生像撮影部２３による再生像の撮影が完了して、再生像データが再生像撮影制御部３３に取り込まれると、良否判定部３４は、インク画像データと再生像データとを取得し、これらのデータを用いて、インク画像と再生像とが一致する否かを判定する。
【００６３】
図７に示されるように、良否判定部３４が、インク画像と再生像とが一致する、すなわち、対象物１０が良品であると判定すると、搬送制御部３５の指示を受けて、搬送部２５は、対象物１０を、外部への搬出口等の所定の場所へ搬送する。
【００６４】
図８に示されるように、良否判定部３４が、インク画像と再生像とが一致しない、すなわち、対象物１０が不良品であると判定すると、搬送制御部３５の指示を受けて、搬送部２５は、収容部２４の収容口２４ａを開く。その結果、不良品と判定された対象物１０が、収容部２４に収容される。
【００６５】
このように、第１の実施形態の像検査装置２０では、インク画像を示す画像データであるインク画像データと、再生像を示す画像データである再生像データとを用いて、ホログラム部１３の有するホログラムからインク画像部１２の有するインク画像と同一の像が再生されるか否かの検査、すなわち、ホログラム部１３が正常に形成されているか否かの検査が行われる。その結果、製造担当者の目視に拠らずにホログラム部１３の検査を行うことができるため、検査に要する負担が軽減され、検査工程を含めた対象物１０の生産工程における生産効率の低下を抑えることも可能となる。
【００６６】
特に、第１の実施形態では、再生像データと比較されるデータとして、インク画像の形成に用いられた画像データが利用される。こうした構成では、インク画像から良否判定のためのデータが別途生成される構成と比較して、インク画像と再生像とが一致するか否かの検査に要するデータの準備についての負荷が軽減される。また、再生像データと比較されるデータが、インク画像の特徴を精確に示すデータであるため、良否判定の精度が高められる。
【００６７】
また、良品であると判定された対象物１０と不良品であると判定された対象物１０とが互いに異なる搬送先に搬送され、不良品であると判定された対象物１０は、像検査装置２０の内部の収容部２４に収容される。収容部２４は、施錠によって、対象物１０の取出しが制限されているため、不良品であると判定された対象物１０が不用意に取り出されて良品と混合されたり、偽造等に悪用されたりすることが抑えられる。
【００６８】
従来のように、製造担当者の目視によってホログラム部１３の検査が行われる構成では、良品と不良品とを互いに異なる場所に収めようとしても、対象物１０の搬送に人間の作業が介在するため、検査が行われた後の対象物１０の搬送先への振り分けが正確に行われない場合があった。この点、上記構成によれば、ホログラム部１３の検査が行われた後に、対象物１０を良品と不良品とのそれぞれの搬送先に搬送することまでが像検査装置２０によって行われる。したがって、良品と不良品との分別の正確性が高められ、員数管理の正確性も高められる。
【００６９】
さらに、ホログラム部１３が設けられる対象物１０は、パスポートのように、偽造等の不正な利用や情報の漏えいを防ぐために、製造段階においても、また、不良品であっても、管理に高いセキュリティを要する物であることが多い。この点、上記構成によれば、収容部２４に収容された対象物１０の取出しが制限されているため、こうした対象物１０の管理に対するセキュリティが高められる。
【００７０】
なお、第１の実施形態では、インク画像データが表示画像を示す表示画像データとして機能し、インク画像形成部２１が表示画像形成部を構成し、良否判定部３４が、再生像取得部と表示画像取得部と判定部とを構成する。
以上説明したように、第１の実施形態によれば、以下に列挙する効果を得ることができる。
【００７１】
（１）像検査装置２０が、インク画像を示す画像データと、再生像を示す画像データとを用いて、インク画像と再生像とが一致するか否かを判定する。したがって、製造担当者の目視に拠らずに検査を行うことができるため、ホログラムから再生される像の検査に要する負担を軽減することができる。
【００７２】
（２）像検査装置２０によって再生像が撮影されて再生像データが生成されるため、像検査装置２０以外の装置によって再生像データが生成される構成と比べて、再生像データの取扱いが容易である。
【００７３】
（３）再生像データと比較されるデータとして、インク画像を形成するための画像データが利用される。したがって、インク画像から良否判定のためのデータが別途生成される構成と比較して、検査に要するデータの準備についての負荷が軽減される。
【００７４】
（４）像検査装置２０は、インク画像データに基づいて、インク画像部１２を形成し、かつ、インク画像データをホログラムの形成のためのデータに変換したデータに基づいて、ホログラム部１３を形成する。したがって、像検査装置２０の内部でインク画像部１２やホログラム部１３の形成に用いられるデータが、ホログラム部１３の検査に用いられるため、これらに別々のデータが用いられる構成と比較して、像検査装置２０の構成が簡易になり、効率のよいデータの利用が可能となる。また、像検査装置２０にて、対象物１０における検査の対象であるホログラムが形成される。そのため、検査の対象と検査の結果との整合が容易である。
【００７５】
（５）良品であると判定された対象物１０と不良品であると判定された対象物１０とが互いに異なる搬送先に搬送されるため、検査後の良品と不良品との分別の正確性が高められる。また、不良品であると判定された対象物１０が像検査装置２０の内部の収容部２４に収容され、収容部２４に収容された対象物１０の取出しが制限されている。したがって、不良品と判定された対象物１０の管理に対するセキュリティが高められる。
【００７６】
（第２の実施形態）
図９〜図１５を参照して、像検査装置および像検査方法の第２の実施形態について説明する。第２の実施形態は、第１の実施形態と比較して、良否判定に用いられるデータが異なる。以下では、第１の実施形態との相違点を中心に説明し、第１の実施形態と同様の構成については同じ符号を付してその説明を省略する。なお、第２の実施形態においても、第１の実施形態の対象物１０と同様の構成を有する対象物が検査の対象とされ、ホログラムから再生される像を用いてこの像を検査することにより、ホログラムの形成の良否が検査される。
【００７７】
［像検査装置の全体構成］
図９を参照して、像検査装置の全体構成について説明する。なお、図９では、像検査装置４０の各部が有する機構を簡略化して示している。
図９に示されるように、像検査装置４０は、第１の実施形態のインク画像形成部２１に代えて、インク画像撮影部４１を備えている。また、ホログラム形成部２２、再生像撮影部２３、および、収容部２４は、第１の実施形態と同様の構成を有している。第２の実施形態において、対象物１０のインク画像部１２は、像検査装置４０の外部にて、像検査装置４０とは別の装置によって形成される。
インク画像撮影部４１は、支持体１１に形成されたインク画像部１２を撮影するための機構を備えている。
【００７８】
搬送部２５は、インク画像部１２が形成され、ホログラム部１３が形成されていない支持体１１を、像検査装置２０における外部からの支持体１１の搬入口等からインク画像撮影部４１に搬送する。さらに、搬送部２５は、この支持体１１を、インク画像撮影部４１からホログラム形成部２２に搬送する。さらに、搬送部２５は、インク画像部１２およびホログラム部１３の双方が形成された支持体１１である対象物１０を、ホログラム形成部２２から再生像撮影部２３に搬送する。
【００７９】
そして、良否判定の結果、対象物１０が良品であると判定されたとき、搬送部２５は、対象物１０を再生像撮影部２３から、像検査装置２０における外部への対象物１０の搬出口等へ搬送し、対象物１０が不良品であると判定されたとき、搬送部２５は、収容口２４ａを開いて、対象物１０を再生像撮影部２３から収容部２４へ搬送する。
［像検査装置の電気的構成］
図１０を参照して、像検査装置の電気的な構成について説明する。
【００８０】
図１０に示されるように、像検査装置４０の備える制御部５０は、第１の実施形態のインク画像形成制御部３１に代えて、インク画像撮影制御部５１を備えている。第２の実施形態において、記憶部３６には、インク画像データが記憶されていなくてよい。
【００８１】
インク画像撮影制御部５１は、各種のドライバを介して、インク画像撮影部４１に対し、インク画像撮影部４１が有する各種の機構の動作を指示することにより、インク画像部１２を撮影させる。撮影されたインク画像の画像データである撮影画像データは、インク画像撮影制御部５１に取り込まれる。
【００８２】
ホログラム形成制御部３２は、各種のドライバを介して、ホログラム形成部２２に対し、ホログラム形成部２２が有する各種の機構の動作を指示することにより、ホログラム部１３を形成させる。この際、ホログラム形成制御部３２は、インク画像撮影制御部５１に取り込まれた撮影画像データを、ホログラムを形成するためのホログラムデータに変換し、ホログラムデータに基づいて、ホログラム形成部２２にホログラムを形成させる。撮影画像データからホログラムデータへの変換は、第１の実施形態におけるインク画像データからホログラムデータへの変換と同様に行われればよい。
再生像撮影制御部３３は、第１の実施形態と同様に、再生像撮影部２３に、ホログラム部１３から再生される像を撮影させる。
【００８３】
良否判定部３４は、インク画像撮影部４１によるインク画像の撮影によって生成された撮影画像データと、再生像撮影部２３による再生像の撮影によって生成された再生像データとを用いて、インク画像と再生像とが一致するか否かを判定する。判定の方法は、第１の実施形態と同様の方法によって行われればよい。
【００８４】
搬送制御部３５は、各種のドライバを介して、搬送部２５に対し、搬送部２５が有する各種の機構の動作を指示する。具体的には、搬送制御部３５は、インク画像撮影制御部５１、ホログラム形成制御部３２、再生像撮影制御部３３の各々と連携し、インク画像部１２の撮影状況やホログラム部１３の形成状況や再生像の撮影状況に応じて、像検査装置２０内での各部への支持体１１の搬送のタイミングを決定し、搬送部２５に支持体１１を搬送させる。
【００８５】
また、搬送制御部３５は、第１の実施形態と同様に、良否判定部３４の判定結果に応じて、搬送部２５に、良品の搬送先である所定の場所、もしくは、収容部２４へ、対象物１０を搬送させる。
【００８６】
［像検査装置の動作］
図１１〜図１５を参照して、上述した構成を有する像検査装置４０の動作について説明する。なお、図１１〜図１５においては、対象物１０の形成と検査との手順を理解しやすくするため、支持体１１上におけるインク画像部１２とホログラム部１３とを強調して示している。
【００８７】
図１１に示されるように、まず、搬送制御部３５の指示を受けて、搬送部２５が、インク画像部１２が形成され、かつ、ホログラム部１３が形成されていない支持体１１を、インク画像撮影部４１に搬送する。そして、インク画像撮影制御部５１の指示を受けて、インク画像撮影部４１は、支持体１１に形成されているインク画像部１２を撮影する。
【００８８】
図１２に示されるように、インク画像部１２の撮影が完了すると、搬送制御部３５の指示を受けて、搬送部２５は、支持体１１をホログラム形成部２２に搬送する。そして、ホログラム形成制御部３２の指示を受けて、インク画像部１２の撮影によって生成された撮影画像データから変換されたホログラムデータに基づき、ホログラム形成部２２は、支持体１１にホログラム部１３を形成する。ホログラム部１３の形成が完了すると、搬送制御部３５の指示を受けて、搬送部２５は、インク画像部１２およびホログラム部１３が形成された支持体１１である対象物１０を、再生像撮影部２３に搬送する。
【００８９】
図１３に示されるように、再生像撮影部２３は、再生像撮影制御部３３の指示に基づき、ホログラム部１３が有するホログラムの再生像を撮影する。撮影の手順は第１の実施形態と同様に行われる。再生像撮影部２３による再生像の撮影が完了して、再生像データが再生像撮影制御部３３に取り込まれると、良否判定部３４は、撮影画像データと再生像データとを取得し、これらのデータを用いて、インク画像と再生像とが一致するか否かを判定する。
【００９０】
図１４に示されるように、良否判定部３４が、インク画像と再生像とが一致する、すなわち、対象物１０が良品であると判定すると、搬送制御部３５の指示を受けて、搬送部２５は、対象物１０を、外部への搬出口等の所定の場所へ搬送する。
【００９１】
図１５に示されるように、良否判定部３４が、インク画像と再生像とが一致しない、すなわち、対象物１０が不良品であると判定すると、搬送制御部３５の指示を受けて、搬送部２５は、収容部２４の収容口２４ａを開く。その結果、不良品と判定された対象物１０が、収容部２４に収容される。
【００９２】
このように、第２の実施形態の像検査装置４０では、インク画像を示す画像データである撮影画像データと、再生像を示す画像データである再生像データとを用いて、ホログラム部１３の有するホログラムからインク画像部１２の有するインク画像と同一の像が再生されるか否かの検査、すなわち、ホログラム部１３が正常に形成されているか否かの検査が行われる。こうした構成によっても、製造担当者の目視に拠らずにホログラム部１３の検査を行うことができるため、検査に要する負担が軽減され、検査工程を含めた対象物１０の生産工程における生産効率の低下を抑えることも可能となる。
【００９３】
また、第２の実施形態では、再生像データと比較されるデータとして、インク画像の撮影によって生成された画像データが利用される。こうした構成によれば、インク画像部１２の表示する実際の画像が検査の結果に的確に反映される。また例えば、像検査装置４０にてインク画像部１２の形成が行われない場合のように、像検査装置４０がインク画像の形成のための画像データを有していなくても、ホログラム部１３の検査を行うことができる。したがって、像検査装置４０によって検査可能な対象が拡大する。
【００９４】
なお、第２の実施形態では、撮影画像データが表示画像を示す表示画像データとして機能し、インク画像撮影部４１が表示画像撮影部を構成し、良否判定部３４が、再生像取得部と表示画像取得部と判定部とを構成する。
以上説明したように、第２の実施形態によれば、第１の実施形態の（１），（２），（５）の効果に加えて、以下に列挙する効果を得ることができる。
【００９５】
（６）再生像データと比較されるデータとして、インク画像の撮影によって生成された画像データが利用される。したがって、インク画像部１２の表示する実際の画像が検査の結果に的確に反映される。
【００９６】
（７）像検査装置４０によってインク画像が撮影されて撮影画像データが生成されるため、像検査装置４０以外の装置によって撮影画像データが生成される構成と比べて、撮影画像データの取扱いが容易である。そして、像検査装置４０は、撮影画像データをホログラムの形成のためのデータに変換したデータに基づいて、ホログラム部１３を形成する。したがって、像検査装置２０の内部でホログラム部１３の形成に用いられるデータが、ホログラム部１３の検査に用いられるため、ホログラム部１３の形成とホログラム部１３の検査とに別々のデータが用いられる構成と比較して、像検査装置２０の構成が簡易になり、効率のよいデータの利用が可能となる。
【００９７】
（変形例）
上記各実施形態は、以下のように変更して実施することが可能である。
・第１の実施形態の像検査装置２０から、インク画像形成部２１およびインク画像形成制御部３１が割愛されてもよい。この場合、像検査装置とは別の装置にてインク画像部１２の形成が行われ、その形成に用いられたインク画像データが、対象物１０の検査に先駆けて像検査装置に入力される。そして、像検査装置にて、インク画像データと再生像データとが用いられて良否判定が行われる。さらに、こうした構成の像検査装置からホログラム形成部２２およびホログラム形成制御部３２が割愛され、ホログラム形成装置とは別の装置によってインク画像部１２とホログラム部１３とが形成された対象物１０が検査対象とされてもよい。
【００９８】
このように、良否判定に用いられるインク画像データは、インク画像の形成に用いられたデータであればよく、像検査装置が、インク画像データを用いてインク画像部１２を形成する構成を有していなくてもよい。また、インク画像データとホログラムを形成するためのデータとが異なっていてもよい。
【００９９】
・第２の実施形態の像検査装置４０から、ホログラム形成部２２およびホログラム形成制御部３２が割愛されてもよい。この場合、対象物１０のホログラム部１３は、像検査装置とは別の装置によって形成される。そして、像検査装置には、インク画像部１２とホログラム部１３との双方が形成された対象物１０が搬入され、インク画像部１２の撮影とホログラム部１３の再生像の撮影とが行われて、生成された撮影画像データと再生像データとが用いられて良否判定が行われる。こうした構成によれば、インク画像部１２とホログラム部１３とが既に形成された対象物１０に対して、インク画像データが入手できない場合にも、検査が可能となる。このように、撮影画像データとホログラムを形成するためのデータとが異なっていてもよい。
【０１００】
・上述の変形例の他、像検査装置は、少なくとも、再生像データを取得する機能と、表示画像データを取得する機能と、これらのデータを用いて良否判定を行う機能とを備える良否判定部３４を備えていれば、その他の構成は限定されない。
【０１０１】
例えば、第１の実施形態の像検査装置２０に、第２の実施形態のインク画像撮影部４１およびインク画像撮影制御部５１が付加され、インク画像部１２とホログラム部１３の形成にはインク画像データが用いられる一方で、良否判定には撮影画像データが用いられてもよい。あるいは、ホログラム部１３の形成に撮影画像データが用いられる一方で、インク画像部１２の形成と良否判定にインク画像データが用いられてもよい。
【０１０２】
また、インク画像部１２よりも先に、ホログラム部１３が形成されてもよく、像検査装置ではインク画像部１２のみが形成され、ホログラム部１３は像検査装置とは別の装置で形成されてもよい。
【０１０３】
さらには、再生像の撮影が像検査装置とは別の装置にて行われ、像検査装置に再生像データと、表示画像データとしてインク画像データあるいは撮影画像データとが入力され、像検査装置にて、これらのデータを用いて良否判定が行われてもよい。すなわち、像検査装置は、再生像撮影部２３および再生像撮影制御部３３を備えていなくてもよい。
【０１０４】
・再生像の撮影は、ホログラム部１３が支持体１１上に配置される前に行われてもよく、例えば、中間転写方式にてホログラム部１３が形成される途中に、中間媒体上に形成されたホログラムに対して再生像の撮影が行われてもよい。
【０１０５】
・良否判定部３４による良否判定にて、再生像データとの比較に用いられるデータは、インク画像データや撮影画像データに限らず、表示体の表示する画像を示す画像データであればよい。表示体の表示する画像を示す画像データである表示画像データには、表示画像の外観が反映され、表示画像の形状や色彩や大きさ等、良否判定にてパターン認識に用いられる特徴が抽出可能な要素が含まれればよい。また、良否判定にて、ホログラムデータのように、表示画像データが変換されたデータと再生像データとが比較されてもよく、この場合、変換前の表示画像データおよび再生像データを取得し、表示画像データの変換と良否判定とをホログラム形成制御部３２や良否判定部３４等を通じて行う制御部３０，５０が、再生像取得部と表示画像取得部と判定部とを構成する。
【０１０６】
・良否判定部３４による良否判定の精度を高めるために、再生像の撮影方法や良否判定の手順が改良されてもよい。例えば、ホログラム部１３の有するホログラムから、赤の光から形成される像と、緑の光から形成される像と、青の光から形成される像とが、それぞれ別の波長の照射光に対して再生され、再生像が、これらの三色の像の重ね合わせによって形成される場合、照射部２３ａが照射する照射光の波長を変更することによって、三色の像が別々に撮影されてもよい。そして、表示画像データから、赤緑青の色ごとのデータが抽出され、これらの色ごとに、表示画像データと再生像データが比較されることによって、良否判定が行われてもよい。
【０１０７】
なお、こうした撮影の態様に応じて、再生像撮影部２３は、複数の照射部２３ａを備えていてもよいし、複数の受光部２３ｂを備えていてもよいし、照射部２３ａごとに調整部２３ｃが設けられていてもよい。また、再生像の撮影に際しての照射部２３ａと受光部２３ｂとの駆動の手順は、上記各実施形態に記載の手順に限られない。
【０１０８】
また、ホログラム部１３の有するホログラムの下地の層が、他のホログラムや模様を有している場合、像検査装置は、ホログラム部１３が形成される前に下地の層を撮影する補助撮影部を備えていてもよい。そして、像検査装置は、補助撮影部の撮影によって生成されたデータを用いて、再生像データから、他のホログラムや模様に起因する像を取り除いた後に、表示画像データとの比較によって良否判定を行ってもよい。また、再生像データとの比較に撮影画像データが用いられる場合、撮影画像データからも、下地の層に起因する像の除去が行われてもよい。さらに、下地の層が複数ある場合には、下地の層が形成される度に、補助撮影部による撮影が行われてもよい。
【０１０９】
なお、下地の層によって形成される像が予め定まっている場合には、像検査装置は、予め、下地の層によって形成される像のデータを記憶し、このデータを用いて、再生像データや撮影画像データから、下地の層に起因する像の除去を行ってもよい。
【０１１０】
・対象物１０が備える表示体は、インク画像部１２に限らず、表示画像として写真画像を示す写真自体であってもよいし、表示画像は、鉛筆等で描かれた画像であってもよい。また、表示体は、ホログラム部１３の有するホログラムとは異なる他のホログラムが形成された部分であって、表示画像として再生像を示す他のホログラム部であってもよい。
【０１１１】
・上記各実施形態では、搬送部２５は、収容口２４ａの開閉によって、不良品と判定された対象物１０を収容部２４に落下させたが、不良品と判定された対象物１０の収容部２４への搬送の態様はこれに限られない。例えば、良品の搬送路と不良品の搬送路とが途中で分岐し、不良品と判定された対象物１０が搬送路を通って収容部２４へ搬送されてもよい。
【０１１２】
・収容部２４に収容された対象物１０の取出しの制限は、収容部２４の施錠に限られない。例えば、収容部２４が、シュレッダー等のように対象物１０を破壊する機構を備え、収容部２４に収容された対象物１０は、収容部２４の内部で破壊されてもよい。こうした構成においては、対象物１０を、対象物１０としての構成を保った状態で収容部２４から取出すことが困難になり、これによって、収容部２４からの対象物１０の取出しが制限される。こうした構成では、収容部２４が施錠される構成と比較して、収容部２４からの対象物１０の取出しがより困難になるため、不良品と判定された対象物１０の管理に対するセキュリティがより高められる。なお、収容部２４は、施錠されたうえで、対象物１０を破壊する機構を備えていてもよい。
【０１１３】
また、上記構成において、対象物１０を破壊する機構は、対象物１０に加えて、インク画像部１２やホログラム部１３の形成に用いられたインクリボンやシート等の廃棄物を破壊してもよい。対象物１０が、パスポート等のように個人情報等の重要度の高い情報を有する場合、こうした情報が、対象物１０の形成に用いられたインクリボン等を通じて漏洩することを抑えるために、インクリボン等は破壊された後に破棄される。対象物１０を破壊する機構が上記廃棄物を破壊する構成では、対象物１０と廃棄物とがまとめて破壊されるため、像検査装置にて、情報漏えいを抑えるための処理を効率よく行うことができる。
【０１１４】
・上記各実施形態では、１つの制御部が、像検査装置２０，４０の各部の動作を統括して制御する構成を示したが、像検査装置２０，４０の各部ごとに、その部の動作を制御する制御部が設けられていてもよい。この場合、各部ごとの制御部が互いにデータや信号の授受を行うことによって、対象物１０の形成や検査が行われる。あるいは、像検査装置は、各部ごとの制御部と、これらの制御部とのデータや信号の授受によってこれらの制御部の動作を統括して制御する制御部とを備えていてもよい。
【０１１５】
・上記各実施形態では、ホログラム部１３の有するホログラムが、ホログラム部１３にて照射光が反射した光によって再生像が形成されるホログラムである場合を対象とした像検査装置の構成を示した。これに代えて、ホログラム部１３の有するホログラムが、ホログラム部１３を照射光が透過した光によって再生像が形成されるホログラムである場合を対象として、像検査装置が構成されてもよい。この場合、再生像撮影部２３にて、照射光がホログラム部１３を透過した光を撮影可能な位置に、受光部２３ｂが配置されればよい。
【０１１６】
・上記各実施形態では、像検査装置は、ホログラムから再生される像を用いてこの再生像を検査することにより、ホログラム部１３が正常に形成されているか否かを検査することを目的としたが、像検査装置の検査の目的はこれに限られない。例えば、像検査装置は、ホログラム部１３に対して、例えばインク画像部１２である表示体が正常に形成されているかを検査することを目的としてもよい。要は、像検査装置は、像の検査として、ホログラムから再生される再生像と表示体の表示する表示画像とが一致するか否かを判定する装置であればよく、判定結果の利用態様は限定されない。
【符号の説明】
【０１１７】
１０…対象物、１１…支持体、１２…インク画像部、１３…ホログラム部、２０，４０…像検査装置、２１…インク画像形成部、２２…ホログラム形成部、２３…再生像撮影部、２３ａ…照射部、２３ｂ…受光部、２３ｃ…調整部、２４…収容部、２４ａ…収容口、２５…搬送部、３０，５０…制御部、３１…インク画像形成制御部、３２…ホログラム形成制御部、３３…再生像撮影制御部、３４…良否判定部、３５…搬送制御部、３６…記憶部、４１…インク画像撮影部、５１…インク画像撮影制御部。
【図１】
0006459405.tif 000002
【図２】
0006459405.tif 000003
【図３】
0006459405.tif 000004
【図４】
0006459405.tif 000005
【図５】
0006459405.tif 000006
【図６】
0006459405.tif 000007
【図７】
0006459405.tif 000008
【図８】
0006459405.tif 000009
【図９】
0006459405.tif 000010
【図１０】
0006459405.tif 000011
【図１１】
0006459405.tif 000012
【図１２】
0006459405.tif 000013
【図１３】
0006459405.tif 000014
【図１４】
0006459405.tif 000015
【図１５】
0006459405.tif 000016